(57)【特許請求の範囲】
【請求項１】
眼科用レンズ装置であって、
視覚ゾーン及び非視覚ゾーンと、
前側曲面及び後側曲面と、
前記前側曲面及び前記後側曲面の１つ又は両方に形成されるテクスチャーのある表面と、
を備え、前記テクスチャーのある表面がテクスチャーパターンを有し、そして、少なくとも前記視覚ゾーン内に形成され、
前記テクスチャーパターンが、前記テクスチャーパターンの外側区域に沿った比較的丸い上部と、該丸い上部に連結される縮径した下部と、を備える、眼科用レンズ装置。
【請求項２】
前記テクスチャーのある表面が前記非視覚ゾーン内に追加的に形成される、請求項１に記載の眼科用レンズ装置。
【請求項３】
前記眼科用レンズがシリコーンヒドロゲル材料を含む、請求項２に記載の眼科用レンズ装置。
【請求項４】
前記眼科用レンズが、エタフィルコン、セノフィルコン、ガリフィルコン、及びナラフィルコンのうちの少なくとも１つを含む、請求項１に記載の眼科用レンズ装置。
【請求項５】
前記テクスチャーパターンが複数の同心円を含む、請求項２に記載の眼科用レンズ装置。
【請求項６】
前記テクスチャーパターンが１つ又は２つ以上の螺旋パターンを含む、請求項２に記載の眼科用レンズ装置。
【請求項７】
前記テクスチャーパターンが放射状チャネルを含む、請求項２に記載の眼科用レンズ装置。
【請求項８】
前記テクスチャーパターンが２μｍ（２ミクロン）以下の深さを備える、請求項２に記載の眼科用レンズ装置。
【請求項９】
前記テクスチャーパターンが０．５μｍ（０．５ミクロン）以下の深さを備える、請求項２に記載の眼科用レンズ装置。
【請求項１０】
前記テクスチャーパターンが１μｍ（１ミクロン）以下の深さ及び１μｍ（１ミクロン）以下のチャネル間の空間を備える複数のチャネルを備える、請求項１に記載の眼科用レンズ装置。
【請求項１１】
前記テクスチャーパターンが０．５μｍ（０．５ミクロン）以下の深さ及び０．５μｍ（０．５ミクロン）以下のチャネル間の空間を備える、請求項１０に記載の眼科用レンズ装置。
【請求項１２】
前記テクスチャーパターンが、前記テクスチャーパターンの内側区域に沿って比較的丸い部分を備える、請求項１に記載の眼科用レンズ装置。
【請求項１３】
眼科用レンズを形成するための鋳型部品であって、前記鋳型部品は、
前記鋳型部品により形成された眼科用レンズの視覚ゾーンと相関する区域、及び前記鋳型部品により形成された眼科用レンズの非視覚ゾーンと相関する区域を有する凹面と、
前記鋳型部品により形成された眼科用レンズの視覚ゾーンと相関する前記区域に少なくとも形成されてテクスチャーパターンを有するテクスチャーのある表面と、
を備え、
前記テクスチャーパターンが、前記テクスチャーパターンの外側区域に沿った比較的丸い上部と、該丸い上部に連結される縮径した下部と、を備える、鋳型部品。
【請求項１４】
眼科用レンズを形成するための鋳型部品であって、前記鋳型部品は、
前記鋳型部品により形成された眼科用レンズの視覚ゾーンと相関する区域、及び前記鋳型部品により形成された眼科用レンズの非視覚ゾーンと相関する区域を有する凸面と、
前記鋳型部品により形成された眼科用レンズの視覚ゾーンと相関する前記区域に少なくとも形成されてテクスチャーパターンを有するテクスチャーのある表面と、
を備え、
前記テクスチャーパターンが、前記テクスチャーパターンの外側区域に沿った比較的丸い上部と、該丸い上部に連結される縮径した下部と、を備える、鋳型部品。
【請求項１５】
前記鋳型部品を形成するために使用される材料が環状ポリオレフィンを含む、請求項１３又は１４に記載の鋳型部品。
【請求項１６】
前記鋳型部品を形成するために使用される材料が環状オレフィンポリマーを含む、請求項１３又は１４に記載の鋳型部品。
【発明の詳細な説明】
【技術分野】
【０００１】
（関連出願の相互参照）
本出願は、２０１１年８月２７日に出願された米国特許出願第１３／０９４，８７０号及び２０１０年５月４日に出願された米国特許仮出願第６１／３００，９２８号に対する優先権を主張するものである。
【０００２】
（発明の分野）
本発明は、１つ又は２つ以上のテクスチャー表面を有する眼科用レンズについて記載するものであり、幾つかの実施形態ではより具体的に、同心パターン化テクスチャーのある凸面を有するコンタクトレンズについて記載する。
【背景技術】
【０００３】
従来、コンタクトレンズのような眼科用装置には、矯正、美容、又は治療的クオリティを有する生体適合性材料が含まれていた。例えば、コンタクトレンズは、視力矯正機能、美容改善、及び治療効果のうちの１つ又は２つ以上を提供することができる。それぞれの機能は、レンズの物理的特性によって提供される。レンズに屈折性質を組み込む設計は、視力矯正機能を提供することができる。レンズに組み込まれる顔料は、美容強化を提供することができる。レンズに組み込まれる活性薬剤は、治療的機能を提供することができる。
【０００４】
ヒトの目のエリアは敏感な性質であるため、快適であることはレンズの重要な特徴となっている。様々なレンズ材料が様々な快適度としばしば関連付けられる。加えて、快適さの問題への取り組みとして、点眼液及びレンズ添加剤のための産業も展開されている。
【０００５】
レンズのもう１つの重要なクオリティは、眼科用レンズの着用者が特定のレンズを着用中にどれだけ良く見ることができるかに影響するレンズの光学品質である。従来から、レンズ材料及びレンズ設計は眼科用レンズを使用中の着用者の体験に影響し得る。
【０００６】
快適さ及び光学品質に関する眼科用レンズの着用体験は進歩してきたが、眼科用レンズ着用者の体験を更に改善する必要はなお存在する。新材料及び点眼液は、常に容易に定量できるとは限らない多くの変数をもたらしている。加えて、新材料及び点眼液は有益ではあるものの、政府の認可を受けてレンズ着用者に提供されるまでに多大な時間とリソースを要することがしばしばである。
【０００７】
幾つかのコンタクトレンズ設計は異なる特徴の凸面及び凹面を含んでいる。例えば、周知のように、眼科用レンズの前面に１つの曲率半径を有し、レンズの後面に別の曲率半径を有するコンタクトレンズがある。この先行技術のアプローチの１つの欠点は、レンズの周辺部を貫通する光線が、レンズの中心を貫通する光線の前で目に焦点を当てる傾向があることである。この先行技術のアプローチは、その焦点深度及び形成される光学像のクオリティを制限する。
【０００８】
その他の先行技術の例としては、凹面の中央領域の球面と、この中央の球面領域を取り囲む非球面とを有する多焦点コンタクトレンズが含まれる。このコンタクトレンズ設計の１つの欠点は、測定及び実用的製造が困難な修正非球面半径の使用である。
【発明の概要】
【発明が解決しようとする課題】
【０００９】
したがって、本発明は、コンタクトレンズ着用者の体験を更に改善する改良された設計のコンタクトレンズのような眼科用装置を含む。概して、本発明によると、慎重に調整されたテクスチャーをレンズ表面に有するコンタクトレンズが形成される。テクスチャーはコンタクトレンズの視覚ゾーン全体にわたって含まれる。幾つかの実施形態では、テクスチャーは、レンズ表面の湿潤性の増加をもたらす寸法で形成される。幾つかの実施形態は、レンズ表面の涙液のパターンを制御するためにも有用である。
【課題を解決するための手段】
【００１０】
別の態様で、幾つかの実施形態は、有益なタンパク質の摂取を増すことによってレンズの着用に関連付けられる快適度を増すテクスチャーパターンを含む。
【００１１】
したがって、本発明の幾つかの実施形態は反応性モノマー混合物から鋳造成形される眼科用レンズを含む。レンズは、反応性モノマー混合物が暴露される化学線の制御を介して形成される。
【図面の簡単な説明】
【００１２】
【図１Ａ】表面テクスチャーを有する眼科用レンズの代表的な実施形態。
【図１Ｂ】交差平行線パターンを含む代表的な表面テクスチャー。
【図１Ｃ】放射パターンを含む代表的な表面テクスチャー。
【図２】表面を有する眼科用レンズの代表的な実施形態の断面の図示。
【図３】テクスチャーパターンの幾つかの寸法の大写しの図示。
【図４】パターン化テクスチャーの代表的なパターンの図示。
【図５】本発明によるレンズを形成するための２つの鋳型部分を有する代表的な鋳型システムの図示。
【図６】本発明によるレンズを形成するための凸面を有する代表的な鋳型システムの図示。
【発明を実施するための形態】
【００１３】
本発明は、眼科用レンズなどの生物医学的装置を含むものであり、とりわけ、眼科用レンズなどの生物医学的装置に組み込まれるエネルギー源を有する眼科用レンズを含む。好ましい実施形態及び代替の実施形態の両方の説明は、代表的な実施形態に過ぎず、変形、修正、及び代替が当業者にとって明白であり得ることが理解される。したがって、上述した代表的な実施形態は、基礎となる発明の範囲を限定するものではないと理解されるべきである。
【００１４】
用語
本発明を目的とする本説明及び特許請求の範囲において、以下の定義が適用される、様々な用語が使用され得る。
【００１５】
レンズ：本明細書で使用するとき「レンズ」とは、眼内、又は眼上にある任意の眼科用装置を指す。これらの装置は視覚補正をもたらすことができるか、又は美容用であっても良い。例えば、レンズという用語は、コンタクトレンズ、眼内レンズ、オーバーレイレンズ、眼用挿入物、光学挿入物、又は他の同様の、視力が補正若しくは変更される装置か、又は視力を妨げることなく目の生理機能が美容的に拡張される（例えば、虹彩色）装置を指すことができる。いくつかの実施形態では、本発明の好ましいレンズは、シリコーンヒドロゲル類、及びフルオロヒドロゲル類を含むが、これらに限定されない、シリコーンエラストマー類又はヒドロゲル類から製造される、ソフトコンタクトレンズである。
【００１６】
レンズ形成混合物：用語「レンズ形成混合物」、又は「反応性混合物」、又は「ＲＭＭ」（反応性モノマー混合物）は、本明細書で使用するとき、硬化及び架橋することができるか、又は架橋して眼科レンズを形成することができる、モノマー、又はプレポリマー材料を指す。様々な実施形態は、ＵＶ遮断剤、染料、光開始剤、又は触媒、及びコンタクト若しくは眼内レンズ等の眼科レンズに望まれ得る他の添加剤等の１つ又は２つ以上の添加剤を有するレンズ形成混合物を含むことができる。
【００１７】
視覚ゾーン：本明細書で使用するとき、用語「視覚ゾーン」は眼科用レンズの一区域を指し、通常処方されるやり方で目の上、目の近く、又は目の中に眼科用レンズを着用中の眼科用レンズ着用者は、その区域を通じて見ることになる。
【００１８】
周辺ゾーン：本明細書で使用するとき、用語「周辺ゾーン」又は「非視覚ゾーン」は、眼科用レンズの視覚ゾーンの外側の眼科用レンズの区域を指し、したがって、それは、眼科用レンズを通常の処方されるやり方で目の上、目の近く、又は目の中に、着用中にレンズ着用者がそれを通じて見ることになる部分の外側である。
【００１９】
概して、本発明はテクスチャーのある表面を有する眼科用レンズを含む。いくつかの実施形態では、眼科用装置は、レンズの着用者がそれを通じて見る視覚ゾーンを含む。テクスチャーパターンは、視覚ゾーン及び視覚ゾーンの外のいずれか又は両方に置かれる場合がある。他の実施形態は、眼科用レンズに形成されるパターンのレリーフを鋳型部品が含む、眼科用レンズの鋳型成形に使用される鋳型部品を含む場合がある。更なる実施形態は、眼科用レンズを鋳型成形するためのプラスチック鋳型部品の形成に使用され得る鋼鉄成形を含む。
【００２０】
眼科用レンズ装置
図１Ａを参照すると、本発明による代表的な眼科用レンズ１００の上面図が示されている。レンズ１００はレンズ１００に形成されたパターン化されたテクスチャー１０１を含む。幾つかの実施形態では、図示されているように、パターン化されたテクスチャー１０１は同心すなわち概して共心の一連の凹又は溝１０１ａ〜１０１ｈ及び更には〜１０１．．．ｎを含み、ｎは同心環状溝の数である。パターン化されたテクスチャー１０１の溝１０１ａ〜１０１．．．ｎは、表面の湿潤性を増しかつレンズを通した正視を妨害しない深さ及び間隔でソフトレンズ材料の表面に形成される。
【００２１】
「概して同心の」溝パターンという表現は、中心点を中心とした螺旋を描く連続溝を含む１つ又は２つ以上の螺旋パターンを指定することを意味する。所与の断面で、螺旋パターンは同心円パターンとして描かれてもよいが、螺旋は切れ目のない連続した溝又は凹である。幾つかの実施形態では、同じ又は近接した中心点を有する複数の螺旋パターンを使用する場合がある。
【００２２】
したがって、パターン化テクスチャー１０１はレンズ１００の視覚ゾーン１０２の一部又は全体を通じて連続し得る。加えて、パターン化テクスチャー１０１はレンズ１００の周辺ゾーン１０３の一部又は全体に存在してもよい。
【００２３】
図１Ａは、同心円を有する幾つかの特定の実施形態を図示し、図１Ｂ及び図１Ｃは多様なテクスチャーパターン１０４〜１０５を有する追加的実施形態を図示する。図１Ｂは、概して交差平行線パターンであるテクスチャーパターン１０４を図示し、図１Ｃは中心点からの放射チャネル又は溝１０５を含む。確率的「パターン」（stochastic pattern）を含む他のパターンも本発明の範囲内である。概して、パターン化テクスチャー１０１ａ〜１０１．．．ｎ、１０４、１０５の形の何らかの制約は、製造方法及びレンズ材料に関係し得る。例えば、鋳型成形製造プロセスは同心テクスチャーパターンとより適合性がある場合があり、交差平行線又は確率的パターンは自由形状製造プロセスによるほうが得られやすい場合がある。
【００２４】
本発明によると、パターン化テクスチャー１０１ａ〜１０１．．．ｎ、１０４、１０５は、着用者がレンズを着用中のレンズ表面の湿潤性（下記に詳述される）を向上するために十分な深さ及び頻度の溝又は凹みを含み、かつレンズ着用者がレンズを通してはっきりと見ることを可能にするために十分に浅い深さを含む。
【００２５】
従来、いかなる修正も視覚ゾーンの外側の区域に制限されてきた。そのような設計は、パターン化テクスチャー１０１ａ〜１０１．．．ｎ、１０４、１０５によってもたらされるレンズ表面の収差をヒトの目が知覚するであろう、又はパターン化テクスチャー１０１ａ〜１０１．．．ｎ、１０４、１０５は例えば虹、輪、若しくは視覚の歪みのようなアーチファクトを視覚体験にもたらすであろうという、一般に受け入れられている考えに固執している。しかし、本発明によると、視覚への実質的な悪影響を全く伴わずにパターン化テクスチャー１０１ａ〜１０１．．．ｎ、１０４、１０５を視覚ゾーンに導入することができ、かつ幾つかの実施形態では視覚の向上をもたらすことができる。非限定的な説明として、レンズ着用者自身の涙液がパターンを満たし、満足のいく視覚体験又はより良い視覚体験をもたらすと理論付けられる。加えて、涙液は改善された着用者体験をもたらす。
【００２６】
加えて、幾つかの実施形態ではパターン化テクスチャー１０１ａ〜１０１．．．ｎ、１０４、１０５は、滑らかな表面と比べて、涙液から有益なタンパク質を摂取するための表面積をより多くもたらす。表面積の増加はパターン化テクスチャー１０１ａ〜１０１．．．ｎ、１０４、１０５を有する眼科用レンズ１００の着用に伴う快適度を高める。
【００２７】
図２を参照すると、本発明による眼科用レンズ２００の断面図が示されている。レンズ２００は後方湾曲すなわち凹面２０２及び前方湾曲すなわち凸面２０３を有する。本発明によると、凸面２０３は視覚ゾーン２０４の区域内にテクスチャーパターン２０１を含む。幾つかの実施形態では、テクスチャーパターン２０１は視覚ゾーンの外側の区域２０５Ａ〜２０５Ｂにもあってよい。
【００２８】
図３を参照すると、幾つかの実施形態によるテクスチャーパターンの拡大図が図示されている。テクスチャーパターン３００は、深さ３０３及び幅３０２を有する複数のチャネル又は溝又は他の幾何学的凹みを概して含む。幾つかの実施形態では、深さは２マイクロメートル以下である。テクスチャーパターンの材料及び構造形状に依存し、幾つかの実施形態は、２マイクロメートル以下のテクスチャーパターンで快適度を高めることができ、幾つかの好ましい実施形態は、５００ナノメートル（０．５マイクロメートル）以下の深さを有する単純なデジタル構造形状を含む。図３に図示したテクスチャーパターンは、概して、溝型式のアーチファクトを有するパターンをもたらすが、その他のパターンもまた本発明の範囲内である。
【００２９】
図４を参照すると、テクスチャーパターンに含まれる代表的構造形状が図示されている。幾つかの実施形態では、テクスチャーパターン４００Ａは、テクスチャーパターン４００Ａの最も外側の区域に沿って置かれた比較的先の尖った上部４０１と、テクスチャーパターン４００Ａのより内側の部分に沿った概して丸い部分４０４とを含むことができる。
【００３０】
別のテクスチャーパターン４００Ｂは、テクスチャーパターン４００Ｂの最も外側の区域に沿って置かれた比較的先丸い上部４０３と、テクスチャーパターン４００Ｂのより内側の部分に沿った概して先の尖った部分４０２とを含むことができる。
【００３１】
更に他の実施形態では、テクスチャーパターン４００Ｃは、テクスチャーパターン４００Ｂの最も外側の区域に沿って置かれた比較的丸い上部４０５と、テクスチャーパターン４００Ｃのより内側の部分に沿った概して丸い部分４０６とを含むことができる。
【００３２】
追加的な実施形態は、テクスチャーパターン４００Ｄの最も外側の区域に沿って置かれた比較的先の尖った上部４０７と、テクスチャーパターン４００Ｂのより内側の部分に沿った概して丸い部分４０８とを含むテクスチャーパターン４００Ｄを含むことができる。
【００３３】
次に図５を参照すると、眼科レンズ用の代表的な鋳型のダイアグラムが例示される。本明細書で使用するとき、用語「鋳型」及び「鋳型組立品」は、レンズ形成用混合物を分配することができる空洞５０５を有する形態５００を指し、この分配は、レンズ形成用混合物５０６の反応又は硬化の際に所望の形状の眼科レンズが製造されるように行なうことができる。本発明の鋳型及び鋳型組立品５００は、複数の「鋳型部分」又は「鋳型片」５０１〜５０２から構成される。鋳型部分５０１〜５０２を組み合わせて、空洞５０５を鋳型部分５０１〜５０２間に形成し、その中にレンズを形成することができるようにすることができる。このような鋳型部分５０１〜５０２の組み合わせは、一時的であることが好ましい。レンズが形成されたら、レンズを取り出すために鋳型部分５０１〜５０２を再び分離することができる。
【００３４】
少なくとも１つの鋳型部分５０１〜５０２は、その表面５０３〜５０４の少なくとも一部がレンズ形成用混合物と接触していて、レンズ形成用混合物の反応又は硬化の際に、表面５０３〜５０４が所望の形状及び形態を表面が接触しているレンズ部分にもたらすようになっている。少なくとも１つの他の鋳型部分５０１〜５０２についても同じである。
【００３５】
こうして、たとえば、好ましい実施形態においては、鋳型組立品５００を、２つの部分５０１〜５０２、すなわち雌型の凹部片（前側片）５０２と雄型の凸部片（後側片）５０１（それらの間に空洞が形成されている）から形成する。凹部表面５０４のレンズ形成用混合物と接触する部分は、鋳型組立品５００内に作製すべき眼科レンズの前側湾曲部の湾曲を有すると共に、十分に滑らかであり、凹部表面５０４と接触しているレンズ形成用混合物の重合によって形成される眼科レンズの表面が光学的に許容できるものとなるように形成されている。
【００３６】
本発明によると、成形方部品５０１〜５０２の１つ又は両方は、鋳型空洞５０５内に配置されたレンズ形成用混合物５０６と接触することになる表面上にテクスチャーパターン５０９を含む。図示したように、テクスチャーパターン５０９は凹面５０４に含まれる。鋳型テクスチャーパターン５０９は、鋳型システム５００によって形成されるレンズに与えられるパターンのレリーフとなる。図のような鋳型部品から形成されるレンズは、眼科用レンズの凸面前側曲面にテクスチャーパターンを有することになる。テクスチャーパターンは射出成形、木摺プロセス、レーザーアブレーションプロセス、又は他のプラスチック形成方法によって鋳型部品５０２に形成されてもよい。
【００３７】
いくつかの実施形態においては、前側鋳型片５０２はまた、円形の周辺エッジ５０８と一体でこれを囲む環状フランジを備えることができ、このフランジから、軸線に垂直でフランジ（図示せず）から延びる平面内で延びている。
【００３８】
後側鋳型片５０１は、中央に湾曲状の区分を有し、この区分には、凸面５０３及び円形の周辺エッジ５０７が伴っている。凸面５０３のレンズ形成用混合物と接触している部分は、鋳型組立品５００内に作製すべき眼科レンズの後側湾曲部の湾曲を有するとともに、十分に滑らかであり、後側表面５０３と接触しているレンズ形成用混合物の反応又は硬化によって形成される眼科レンズの表面が光学的に許容できるものとなるように形成されている。したがって、前側鋳型半片５０２の内部凹部表面５０４によって眼科レンズの外面が画定される一方で、ベース鋳型半片５０１の外部凸面５０３によって眼科レンズの内面が規定される。
【００３９】
ここで図６を参照すると、幾つかの実施形態で、鋳型部品６０１は凸面６０２に与えられたテクスチャーパターン６０３を有する凸面を含んでもよい。そのような実施形態では、鋳型部品６０１で形成された眼科用レンズは後側凹曲面にテクスチャーパターンを含むことになる。
【００４０】
鋳型材料の好適な実施形態には、ポリオレフィン、環式オレフィン、脂環式ポリオレフィン及び環式オレフィンポリマー（時に「ＣＯＣ」と呼ばれる）、そして、いくつかの実施形態においてはポリオレフィン及びＣＯＣが含まれる。
【００４１】
本発明による鋳型５００を作るいくつかの好ましい方法では、既知の技術による射出成型を用いるが、実施形態はまた、例えば、旋盤法、ダイヤモンド切削、又はレーザー切断が挙げられる他の技術によって作られる鋳型を含むこともできる。
【００４２】
通常、レンズを、両方の鋳型部分５０１〜５０２の少なくとも１つの表面上に形成する。しかし必要に応じて、レンズの一方の表面を鋳型部分５０１〜５０２から形成する場合もあり、他方のレンズ表面を旋盤法又は他の方法を用いて形成することができる。
【００４３】
本明細書で使用するとき、「レンズ形成表面」は、レンズを成型するために用いる表面５０３〜５０４を意味する。いくつかの実施形態では、任意のこのような表面５０３〜５０４は、光学品質表面仕上げを有することができる。光学品質表面仕上げとは、表面が十分に滑らかで、成型表面に接触しているレンズ形成材料の重合によって作られるレンズ表面が光学的に許容可能であるように形成されていることを示す。更に、いくつかの実施形態では、レンズ形成表面５０３〜５０４は、レンズ表面に所望の光学特性を付与するのに必要な幾何学形状を有することができる。所望の光学特性としては、限定することなく、球面、非球面、及び円筒屈折力、波面収差補正、角膜トポグラフィ補正などに加えて、これらの任意の組み合わせが挙げられる。
【００４４】
幾つかの実施形態では、レンズ材料を形成する反応性混合物はシリコーン含有成分を含むことができる。「シリコーン含有成分」は、モノマー、マクロマー又はプレポリマー中に少なくとも１個の［−Ｓｉ−Ｏ］を含有する成分である。好ましくは、合計Ｓｉ及び結合Ｏは、シリコーン含有成分中に、当該シリコーン含有成分の総分子量の約２０重量％より大きい、更に好ましくは３０重量％より大きい量で存在する。有用なシリコーン含有成分は、好ましくは、アクリレート、メタクリレート、アクリルアミド、メタクリルアミド、ビニル、Ｎ−ビニルラクタム、Ｎ−ビニルアミド及びスチリル官能基などの重合性官能基が含まれる。
【００４５】
好適なシリコーン含有成分は、式Ｉの化合物を含む：
【化１】
0005914463.tif 000002
（式中、
Ｒ１は、独立して、一価反応基、一価アルキル基、又は一価アリール基から選択され、前述のいずれかは、ヒドロキシ、アミノ、オキサ、カルボキシ、アルキルカルボキシ、アルコキシ、アミド、カルバメート、カーボネート、ハロゲン、又はこれらの組み合わせから選択される官能性を更に含み得、１〜１００  Ｓｉ−Ｏの反復単位を含む一価シロキサン鎖は、アルキル、ヒドロキシ、アミノ、オキサ、カルボキシ、アルキルカルボキシ、アルコキシ、アミド、カルバメート、ハロゲン、又はこれらの組み合わせから選択される官能性を更に含むこともあり、
式中、ｂ＝０〜５００であり、ｂが０以外のときに、ｂは、表示値と同等のモードを有する分配であると理解され、
少なくとも１つのＲ１は、一価反応基を含み、いくつかの実施形態では、１個と３個のＲ１との間は、一価反応基を含む）。
【００４６】
本明細書に使用されるとき、「一価反応基」は、フリーラジカル及び／又はカチオン重合を受けることができる基である。フリーラジカル反応性基の非限定的な例としては、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニル、Ｃ２〜１２アルケニルナフチル、Ｃ２〜６アルケニルフェニルＣ１〜６アルキル、Ｏ−ビニルカルバメート及びＯ−ビニルカーボネートが挙げられる。カチオン反応性基の非限定例には、ビニルエーテル又はエポキシド基及びこれらの混合物が挙げられる。一実施形態では、フリーラジカル反応基には、（メタ）アクリレート、アクリルオキシ、（メタ）アクリルアミド、及びこれらの混合物が含まれる。
【００４７】
好適な一価アルキル基及びアリール基には、置換及び非置換のメチル、エチル、プロピル、ブチル、２−ヒドロキシプロピル、プロポキシプロピル、ポリエチレンオキシプロピル、これらの組み合わせ等の非置換の一価Ｃ１〜Ｃ１６アルキル基、Ｃ６〜Ｃ１４アリール基が挙げられる。
【００４８】
１つの実施形態では、ｂは、ゼロであり、１個のＲ１は、一価の反応性基であり、少なくとも３個のＲ１は、１〜１６個の炭素原子を有する一価アルキル基から選択され、別の実施形態では、１〜６個の炭素原子を有する一価アルキル基から選択される。本発明のシリコーン成分の制限されない例には、２−メチル−、２−ヒドロキシ−３−［３−［１，３，３，３−テトラメチル−１−［（トリメチルシリル）オキシ］ジシロキザニル］プロポキシ］プロピルエステル（「ＳｉＧＭＡ」）、
２−ヒドロキシ−３−メタクリルオキシプロピルオキシプロピル−トリ（トリメチルシロキシ）シラン、
３−メタクリルオキシプロピルトリス（トリメチルシロキシ）シラン（「ＴＲＩＳ」）、
３−メタクリルオキシプロピルビス（トリメチルシロキシ）メチルシラン、及び
３−メタクリルオキシプロピルペンタメチルジシロキサンが含まれる。
【００４９】
別の実施形態では、ｂは、２〜２０、３〜１５、又はいくつかの実施形態では、３〜１０であり、少なくとも１つの末端Ｒ１は、一価反応基を含み、残りのＲ１は、１〜１６個の炭素原子を有する一価アルキル基から選択され、別の実施形態では、１〜６個の炭素原子を有する一価アルキル基から選択される。更に他の一実施形態では、ｂが３〜１５であり、１つの末端Ｒ１が一価の反応性基を含み、その他の末端Ｒ１が１〜６の炭素原子を有する一価のアルキル基を含み、残余のＲ１が１〜３の炭素原子を有する一価のアルキル基を含む。本発明のシリコーン成分の制限されない例には、（モノ−（２−ヒドロキシ−３−メタクリルオキシプロピル）−プロピルエーテル末端のポリジメチルシロキサン（４００〜１０００ＭＷ））（「ＯＨ−ｍＰＤＭＳ」］）、モノメタクリルオキシプロピル末端のモノ−ｎ−ブチル末端のポリジメチルシロキサン（８００〜１０００ＭＷ）、（「ｍＰＤＭＳ」）が含まれる。
【００５０】
別の実施形態では、ｂは、５〜４００、又は１０〜３００であり、両方の末端Ｒ１は、一価反応基を含み、残りのＲ１は、独立して、炭素原子間のエーテル結合を有することもあり、ハロゲンを更に含むこともある、１〜１８個の炭素原子を有する一価アルキル基から選択される。
【００５１】
シリコーンヒドロゲルレンズが望ましい一実施形態では、本発明のレンズは、ポリマーを作製する反応性モノマー成分の総重量に対して、少なくとも約２０、好ましくは、約２０重量％〜７０重量％のシリコーン含有成分を含む、反応性混合物から作製される。
【００５２】
本発明は、任意の既知のレンズ形成材、即ち当該レンズの製造に適した材料で製造される、ハード又はソフトコンタクトレンズの提供に使用され得る。更に好ましくは、レンズは、モノマー含有ヒドロキシ基、カルボキシル基、又はこれらの両方から製造される、若しくは、シロキサン、ヒドロゲル、シリコーンヒドロゲル、及びこれらの組み合わせ等のシリコーン含有ポリマーから製造される。本発明のレンズを形成するのに有用な材料は、重合開始剤等の添加剤に加えて、マクロマー、モノマー、及びこれらの組み合わせの混合物を反応させることによって、製造し得る。好適な材料は、シリコーンマクロマー及び親水性モノマーから製造されるシリコーンヒドロゲルを含むが、これらに限定されない。
【００５３】
結論
上記の説明、及び以下の請求項によって更に定義されるとおり、本発明は、眼科用レンズを処理する方法、及びそのような方法を実行するための装置、並びにそれによって形成される眼科用レンズを提供する。
【００５４】
〔実施の態様〕
（１）  眼科用レンズ装置であって、
視覚ゾーン及び非視覚ゾーンと、
前側曲面及び後側曲面と、
前記前側曲面及び前記後側曲面の１つ又は両方に形成されるテクスチャーのある表面と、
を備え、前記テクスチャーのある表面が少なくとも前記視覚ゾーン内に形成される、眼科用レンズ装置。
（２）  前記テクスチャーのある表面が前記非視覚ゾーン内に追加的に形成される、実施態様１に記載のレンズ。
（３）  前記眼科用レンズがシリコーンヒドロゲル材料（silicon hydrogel material）を含む、実施態様２に記載のレンズ。
（４）  前記眼科用レンズが、エタフィルコン、セノフィルコン、ガリフィルコン、及びナラフィルコンのうちの少なくとも１つを含む、実施態様１に記載のレンズ。
（５）  前記テクスチャーパターンが複数の同心円を含む、実施態様２に記載のレンズ。
（６）  前記テクスチャーパターンが１つ又は２つ以上の螺旋パターンを含む、実施態様２に記載のレンズ。
（７）  前記テクスチャーパターンが放射状チャネルを含む、実施態様２に記載のレンズ。
（８）  前記テクスチャーパターンが約２μｍ（約２ミクロン）以下の深さを備える、実施態様２に記載のレンズ。
（９）  前記テクスチャーパターンが約０．５μｍ（約０．５ミクロン）以下の深さを備える、実施態様２に記載のレンズ。
（１０）  前記テクスチャーパターンが約１μｍ（約１ミクロン）以下の深さ及び約１μｍ（約１ミクロン）以下のチャネル間の空間を備える複数のチャネルを備える、実施態様１に記載のレンズ。
【００５５】
（１１）  前記テクスチャーパターンが約０．５μｍ（約０．５ミクロン）以下の深さ及び約０．５μｍ（約０．５ミクロン）以下のチャネル間の空間を備える、実施態様１０に記載のレンズ。
（１２）  前記テクスチャーパターンが、前記テクスチャーパターンの外側区域に沿って比較的丸い上部を備える、実施態様２に記載のレンズ。
（１３）  前記テクスチャーパターンが、前記テクスチャーパターンの内側区域に沿って比較的先の尖った部分を備える、実施態様１２に記載のレンズ。
（１４）  前記テクスチャーパターンが、前記テクスチャーパターンの外側区域に沿って比較的先の尖った上部を備える、実施態様２に記載のレンズ。
（１５）  前記テクスチャーパターンが、前記テクスチャーパターンの内側区域に沿って比較的丸い部分を備える、実施態様１２に記載のレンズ。
（１６）  前記テクスチャーパターンが、前記テクスチャーパターンの内側区域に沿って比較的丸い部分を備える、実施態様１４に記載のレンズ。
（１７）  眼科用レンズを形成するための鋳型部品であって、前記鋳型部品は、
前記鋳型部品により形成された眼科用レンズの視覚ゾーンと相関する区域、及び前記鋳型部品により形成された眼科用レンズの非視覚ゾーンと相関する区域を有する凹面と、
前記鋳型部品により形成された眼科用レンズの視覚ゾーンと相関する前記区域に少なくとも形成されるテクスチャーのある表面と、
を備える、鋳型部品。
（１８）  眼科用レンズを形成するための鋳型部品であって、前記鋳型部品は、
前記鋳型部品により形成された眼科用レンズの視覚ゾーンと相関する区域、及び前記鋳型部品により形成された眼科用レンズの非視覚ゾーンと相関する区域を有する凸面と、
前記鋳型部品により形成された眼科用レンズの視覚ゾーンと相関する前記区域に少なくとも形成されるテクスチャーのある表面と、
を備える、鋳型部品。
（１９）  前記鋳型部品を形成するために使用される材料が環状ポリオレフィンを含む、実施態様１７又は１８に記載の鋳型部品。
（２０）  前記鋳型部品を形成するために使用される材料が環状オレフィンポリマーを含む、実施態様１７又は１８に記載の鋳型部品。
【図１Ａ】
0005914463.tif 000003
【図１Ｂ】
0005914463.tif 000004
【図１Ｃ】
0005914463.tif 000005
【図２】
0005914463.tif 000006
【図３】
0005914463.tif 000007
【図４】
0005914463.tif 000008
【図５】
0005914463.tif 000009
【図６】
0005914463.tif 000010